(57)【特許請求の範囲】
【請求項１】
カメラ（１１）を有する玄関子機（１０）での訪問者からの呼出時に通話操作を行なう通話操作部（５ａ、５ｂ、５ｃ）を有する通話操作ユニット（１ａ、１ｂ、１ｃ）および前記呼出時に前記カメラで撮像された訪問者の画像を出画するモニタ部（６）を有するモニタユニット（２）により形成される上ケース（２０）と、前記玄関子機との結線を行なうターミナル部（４）を有する下ケース（３）とを備え、
前記下ケースには、前記通話操作ユニットおよび前記モニタユニットとを電気的に接続するためのハウジング（４ａ、４ｂ）を有し、
前記通話操作ユニットおよび前記モニタユニットには、前記下ケースと電気的に接続するためのコネクタ（７ａ、７ｂ）を有し、
前記ハウジングは、前記下ケースに、互いにずらしてそれぞれ位置決めされて配置されており、
前記下ケースに、前記通話操作ユニットおよび前記モニタユニットをそれぞれ左右置換自在に取り付けることを特徴とするインターホン親機。
【請求項２】
前記通話操作ユニットは、前記訪問者からの呼出にフックオフして応答した居住者が通話を行うためのハンドセット（５ａ）および前記ハンドセットがフックオンしている状態で前記訪問者からの呼出に応答操作するとハンズフリー通話を行ない再度操作すると終話をするハンズフリー通話ボタン（８）を有するハンズフリー兼用ハンドセットユニット（１ａ）と、前記訪問者からの呼出にフックオフして応答した居住者が通話を行うためのハンドセット（５ｂ）を有するハンドセットユニット（１ｂ）と、前記訪問者からの呼出に応答操作するとハンズフリー通話を行ない再度操作すると終話をするハンズフリー通話ボタン（５ｃ）を有するハンズフリーユニット（１ｃ）とのなかからその１つを選択して構成されることを特徴とする請求項１記載のインターホン親機。
【発明の詳細な説明】
【０００１】
【発明の属する技術分野】
本発明はインターホン親機に係わり、特に、操作ユニットとモニタユニットとの配置が変更できるインターホン親機に関する。
【０００２】
【従来の技術】
従来、玄関先などに設置したドアホン子機から呼出がなされたときに、通話スイッチを操作して応答すれば、モニタテレビを見ながらインターホンから離れた箇所からでもドアホン子機との通話が出来るハンズフリー通話テレビインターホンとして、特開平７−１４７６７６号に記載の露出取付型のハンズフリー通話テレビインターホンがある。
【０００３】
このハンズフリー通話テレビインターホンは、モニタテレビ表示窓を本体上部に配したハンズフリー通話テレビインターホンにおいて、モニタテレビ表示窓の下方には、面型通話押ボタンを中央部分に設け、この面型通話押ボタンは、モニタテレビとして本体部に内蔵されたＣＲＴの偏向ヨークの上方に位置するように配置され、モニタテレビ表示窓の下方隅部には、小型のモニタ押ボタンを設け、面型通話スイッチの操作により押圧される通話スイッチを、本体カバー部の裏面側に設けた回路基板に設けている（図示せず）。
【０００４】
【発明が解決しようとする課題】
このハンズフリー通話テレビインターホンでは、面型通話押ボタンの大型化によって操作をし易くし、面型通話スイッチを設けた回路基板を、本体カバー部の裏面側に設けたことにより、面型通話押ボタンおよびその関連回路を、薄型、省スペースに構成でき、全体として機器の小型、薄型化が図られている。
【０００５】
しかしながらこのような従来のハンズフリー通話テレビインターホンでは、モニタテレビ表示窓および面型通話押ボタンというポイントとなる機器要素の配置構成が決められており、例えば右利き、左利きで操作のし易い構成に対応させることは困難であるという難点があった。また、ユニット化させても機器内部が複雑で配線がしづらいという難点もあった。
【０００６】
本発明は、上述の難点を解消するためになされたもので、ユーザーの右利き、左利きに適した通話操作ユニットの配置が可能で、ハンドセット通話、ハンズフリー通話に応じた機器構成が採用でき、さらにユニット間の接続を簡便にできるようにしたインターホン親機を提供することを目的とする。
【０００７】
【課題を解決するための手段】
このような目的を達成するため、本発明によるインターホン親機は、カメラを有する玄関子機での訪問者からの呼出時に通話操作を行なう通話操作部を有する通話操作ユニットおよび呼出時にカメラで撮像された訪問者の画像を出画するモニタ部を有するモニタユニットにより形成される上ケースと、玄関子機との結線を行なうターミナル部を有する下ケースとを備え、下ケースには、通話操作ユニットおよびモニタユニットとを電気的に接続するためのハウジングを有し、
通話操作ユニットおよびモニタユニットには、下ケースと電気的に接続するためのコネクタを有し、
ハウジングは、下ケースに、互いにずらしてそれぞれ位置決めされて配置されており、
下ケースに、通話操作ユニットおよびモニタユニットをそれぞれ左右置換自在に取り付けるものである。
【０００８】
また、本発明によるインターホン親機では、通話操作ユニットは、訪問者からの呼出にフックオフして応答した居住者が通話を行うためのハンドセットおよびハンドセットがフックオンしている状態で訪問者からの呼出に応答操作するとハンズフリー通話を行ない再度操作すると終話をするハンズフリー通話ボタンを有するハンズフリー兼用ハンドセットユニットと、訪問者からの呼出にフックオフして応答した居住者が通話を行うためのハンドセットを有するハンドセットユニットと、訪問者からの呼出に応答操作するとハンズフリー通話を行ない再度操作すると終話をするハンズフリー通話ボタンを有するハンズフリーユニットとのなかからその１つを選択して構成される。
【０００９】
このようなインターホン親機によれば、ユーザーごとに機器の構成を適切に選択でき、さらにユニット間の接続も簡便化される。
【００１０】
【発明の実施の形態】
以下、本発明によるインターホン親機の好ましい実施の形態例について図を参照して詳述する。
【００１１】
図３に示すように、本発明によるインターホン親機は、カメラ１１を有する玄関子機１０に接続され、訪問者からの呼出時にカメラ１１で撮像された訪問者の画像を出画するモニタ部６を有するモニタユニット２と、呼出時に通話操作を行なう通話操作ユニット１ａ（、１ｂ、１ｃ）を備えている。
【００１２】
ここで通話操作ユニットは、図１（ａ）に示すハンズフリー兼用ハンドセットユニット１ａと、同図（ｂ）に示すハンドセットユニット１ｂと、同図（ｃ）に示すハンズフリーユニット１ｃとのなかからその１つを選択して構成されるものである。
【００１３】
図１（ａ）に示すように、本発明によるインターホン親機は、玄関子機１０による訪問者からの呼出時に通話操作を行なう通話操作部５ａを有する通話操作ユニット１ａおよび呼出時にカメラ１１で撮像された訪問者の画像を出画するモニタ部６を有するモニタユニット２により形成される上ケース２０と、玄関子機１０との結線を行なうターミナル部４（図２（ｃ））を有する下ケース３とを備え、下ケース３に、通話操作ユニット１ａおよびモニタユニット２をそれぞれ左右置換自在に取り付けるものである。
【００１４】
図２（ａ）、（ｂ）、（ｃ）に示すように、下ケース３は、通話操作ユニット１ａおよびモニタユニット２とを電気的に接続するためのハウジング４ａ、４ｂを有し、通話操作ユニット１ａおよびモニタユニット２は、下ケース３と電気的に接続するためのコネクタ７ａ、７ｂを有している。ハウジング４ａ、４ｂとコネクタ７ａ、７ｂとを接続して下ケース３と上ケース２０とが電気的に接続される。
【００１５】
なお、図２（ｃ）に示すように、通話操作ユニット１ａおよびモニタユニット２と下ケース３とを電気的に接続するためのハウジング４ａ、４ｂは、下ケース３内で、上下にずれてそれぞれ位置決めされて配置されている。
【００１６】
図１（ａ）に示すハンズフリー兼用ハンドセットユニット１ａは、訪問者からの呼出にフックオフして応答した居住者が通話を行うための通話操作部としてのハンドセット５ａおよびハンドセット５ａがフックオンしている状態で訪問者からの呼出に応答操作するとハンズフリー通話を行ない再度操作すると終話をするハンズフリー通話ボタン８を有する通話操作ユニットとしてのハンズフリー兼用ハンドセットユニット１ａである。
【００１７】
図１（ｂ）に示すハンドセットユニット１ｂは、訪問者からの呼出にフックオフして応答した居住者が通話を行うための通話操作部としてのハンドセット５ｂを有する通話操作ユニットとしてのハンドセットユニット１ｂである。
【００１８】
図１（ｃ）に示すハンズフリーユニット１ｃは、訪問者からの呼出に応答操作するとハンズフリー通話を行ない再度操作すると終話をする通話操作部としてのハンズフリー通話ボタン５ｃを有する通話操作ユニットとしてのハンズフリーユニット１ｃである。
【００１９】
このように、通話操作ユニットは、図１（ａ）に示すハンズフリー兼用ハンドセットユニット１ａと、同図（ｂ）に示すハンドセットユニット１ｂと、同図（ｃ）に示すハンズフリーユニット１ｃとのなかからその１つを選択して構成されるので、機器の構成にバリエーションができる。
【００２０】
図２（ａ）に示すように、左側に通話操作ユニットとしてのハンズフリー兼用ハンドセットユニット１ａが、右側にモニタユニット２が配置されているとき、ユーザーが左右入れ替えて使用したいと所望した場合、ハンズフリー兼用ハンドセットユニット１ａのコネクタ７ａをハウジング４ａから外し、モニタユニット２のコネクタ７ｂをハウジング４ｂから外し、図２（ｂ）に示すように、ハンズフリー兼用ハンドセットユニット１ａを右に、モニタユニット２を左に配置し、ハンズフリー兼用ハンドセットユニット１ａのコネクタ７ａをハウジング４ａに、モニタユニット２のコネクタ７ｂをハウジング４ｂに接続する。このとき、ハウジング４ａ、４ｂは下ケース３内で上下にずれて設けられているので、コネクタ７ａ、７ｂにそれぞれ接続されているケーブル９ａ、９ｂを互いにずらして無理なくコネクタ７ａ、７ｂをハウジング４ａ、４ｂに接続できる。
【００２１】
なお通話操作ユニットとしてハンドセットユニット１ｂまたはハンズフリーユニット１ｃが選択されている場合も同様である。
【００２２】
【発明の効果】
以上の説明から明らかなように、本発明のインターホン親機によれば、ユーザーごとに右利き、左利きに適したユニット配置が可能で、また、ハンドセット通話、ハンズフリー通話に応じた機器構成が採用でき、さらにユニット間の接続も簡便化される。
【図面の簡単な説明】
【図１】  本発明のインターホン親機の機器構成を示す図で、（ａ）はハンズフリー通話、ハンドセット通話のいずれにも対応したハンドセット例、（ｂ）はハンドセット通話に対応したハンドセット例、（ｃ）はハンズフリー通話に対応したハンドセット例である。
【図２】  本発明のインターホン親機のユニット配置および上ケースと下ケースとの接続を示す図で、（ａ）は向かって右にモニタ部を配置する例、（ｂ）は向かって左にモニタ部を配置する例、（ｃ）は下ケースを説明する図である。
【図３】  本発明のインターホン親機におけるインターホン子機とインターホン親機の関係およびインターホン親機のユニットの基本構成を示す図である。
【符号の説明】
１ａ・・・・・通話操作ユニット（ハンズフリー兼用ハンドセットユニット）
１ｂ・・・・・通話操作ユニット（ハンドセットユニット）
１ｃ・・・・・通話操作ユニット（ハンズフリーユニット）
２・・・・・モニタユニット
３・・・・下ケース
４・・・・ターミナル部
４ａ、４ｂ・・・・ハウジング
５ａ、５ｂ・・・・通話操作部（ハンドセット）
５ｃ・・・・通話操作部（ハンズフリー通話ボタン）
６・・・・モニタ部
７ａ、７ｂ・・・・コネクタ
８・・・・ハンズフリー通話ボタン
１０・・・・玄関子機
１１・・・・カメラ
２０・・・・上ケース
【図１】
0003740064.tif 000002
【図２】
0003740064.tif 000003
【図３】
0003740064.tif 000004